(57)【要約】【課題】例えば、病院や自宅などで病床に伏している患者などが、横になった姿勢や座った姿勢でも容易に使用することのできるポータブルトイレを提供する。【解決手段】本発明は持ち運びができるトイレであり、小水を溜める小水タンク１０と、小水タンク１０の上部に気密かつ取り換え自在に組付き、小水を小水タンク１０に流す少なくとも２タイプの小水パイプ２０を備える。小水パイプ２０の一つは略垂直に延びる第一小水パイプ部２１であり、もう一つは上部に斜め上方に延びる傾斜部位２２ａを有する第二小水パイプ部２２である。また、第一小水パイプ部２１の先端及び第二小水パイプ部２２の先端のうち両方又はいずれか一方に取付けられる開口部Ｋが拡開した小水受け部２３を備える。【選択図】      図１
2018064809.tif 000002
【特許請求の範囲】
【請求項１】
持ち運びができるポータブルトイレであり、
小水を溜める小水タンクと、
前記小水タンクの上部に気密かつ取り換え自在に組付き、小水を前記小水タンクに流す少なくとも２タイプの小水パイプを備え、
前記小水パイプの一つは略垂直に延びる第一小水パイプ部であり、もう一つは上部に斜め上方に延びる傾斜部位を有する第二小水パイプ部であることを特徴とするポータブルトイレ。
【請求項２】
前記第一小水パイプ部の先端及び第二小水パイプ部の先端のうち両方又はいずれか一方に取付けられる開口部が拡開した小水受け部を備えることを特徴とする請求項１に記載のポータブルトイレ。
【請求項３】
持ち運びができるポータブルトイレであり、
小水を溜める小水タンクと、
前記小水タンクの上部に気密かつ取り換え自在に組付き小水を前記小水タンクに流す小水パイプを備え、
前記小水パイプに部分的に蛇腹部を形成し、前記小水パイプを前記蛇腹部で折曲げ自在としたこと特徴とするポータブルトイレ。
【請求項４】
前記小水パイプの先端に取付けられる開口部が拡開した小水受け部を備えることを特徴とする請求項３に記載のポータブルトイレ。
【請求項５】
前記小水パイプの側部に、前記小水タンクに溜まった小水を排出する排出管を設けたことを特徴とする請求項１乃至４のうちいずれか一つに記載のポータブルトイレ。
【請求項６】
前記小水パイプの一部に透明部を形成し、溜まった小水を外から視認できるようにしたことを特徴とする請求項１乃至５のうちいずれか一つに記載のポータブルトイレ。
【発明の詳細な説明】
【技術分野】
【０００１】
本発明は、例えば、病気や怪我で入院している患者等が病床でも使用することのできる持ち運び可能な小水用のポータブルトイレに関する。
【背景技術】
【０００２】
例えば、病気や怪我で病床に伏している患者等は、自力でトイレに行くことが極めて困難であり他人の介助が必要である。特に、小水はその頻度が高いため、他人の介助を頻繁に求める結果となる。
従って、病床あるいはその近くでも容易に使用することのできる小水用の小型トイレが求められる。
【０００３】
これまでに小水用の小型トイレは知られている（例えば、特許文献１参照）。
この特許文献１に記載の小型トイレは、小水受け部とタンクなどを備え、小水受け部で小水を受けて、それをタンクに溜める仕組みである。
【先行技術文献】
【特許文献】
【０００４】
【特許文献１】特開２０１６−８７２８４号公報
【発明の概要】
【発明が解決しようとする課題】
【０００５】
しかしながら、特許文献１に記載の小型トイレは、固定式であり、かつ、小水受け部が不変状態で上向きに固定されているため、使用者はそこまで足を運び、起立した姿勢で使用する必要がある。
従って、例えば、病床に伏している患者などが、その病床またはその近くで使用することができない。また、横になった姿勢や座った姿勢で使用することもできない。
【０００６】
そこで、本発明の目的とするところは、例えば、病院や自宅などで病床に伏している患者などが、当該病床またはその近くで使用することのできるポータブルトイレを提供することにある。また、病床等で横になった姿勢や座った姿勢でも容易に使用することのできるポータブルトイレを提供することにある。
【課題を解決するための手段】
【０００７】
上記の目的を達成するために、本発明の請求項１に記載のポータブルトイレ（１）は、持ち運びができるトイレであり、小水を溜める小水タンク（１０）と、前記小水タンク（１０）の上部に気密かつ取り換え自在に組付き、小水を前記小水タンク（１０）に流す少なくとも２タイプの小水パイプ（２０）を備え、前記小水パイプ（２０）の一つは略垂直に延びる第一小水パイプ部（２１）であり、もう一つは上部に斜め上方に延びる傾斜部位（２２ａ）を有する第二小水パイプ部（２２）であることを特徴とする。
【０００８】
また、請求項２に記載のポータブルトイレ（１）は、前記第一小水パイプ部（２１）の先端及び第二小水パイプ部（２２）の先端のうち両方又はいずれか一方に取付けられる開口部（Ｋ）が拡開した小水受け部（２３）を備えることを特徴とする。
【０００９】
また、請求項３に記載のポータブルトイレ（１）は、持ち運びができるトイレであり、小水を溜める小水タンク（１０）と、前記小水タンク（１０）の上部に気密かつ取り換え自在に組付き小水を前記小水タンク（１０）に流す小水パイプ（２０）を備え、前記小水パイプ（２０）に部分的に蛇腹部（Ｊ）を形成し、前記小水パイプ（２０）を前記蛇腹部（Ｊ）で折曲げ自在としたこと特徴とする。
【００１０】
また、請求項４に記載のポータブルトイレ（１）は、前記小水パイプ（２０）の先端に取付けられる開口部（Ｋ）が拡開した小水受け部（２３）を備えることを特徴とする。
【００１１】
さらに、請求項５に記載のポータブルトイレ（１）は、前記小水パイプ（２０）の側部に、前記小水タンク（１０）に溜まった小水を排出する排出管（４０）を設けたことを特徴とする。
【００１２】
またさらに、請求項６に記載のポータブルトイレ（１）は、前記小水パイプ（２０）の一部に透明部（Ｔ）を形成し、溜まった小水を外から視認できるようにしたことを特徴とする。
【００１３】
なお、カッコ内の記号は、図面および後述する発明の実施の形態に記載された対応要素または対応事項を示す。
【発明の効果】
【００１４】
本発明の請求項１に記載のポータブルトイレによれば、小水タンクと、少なくとも２タイプの小水パイプを備え、その内の一つは略垂直に延びる第一小水パイプ部であり、もう一つは上部に斜め上方に延びる傾斜部位を有する第二小水パイプ部であるので、当該第一小水パイプ部と第二小水パイプ部を必要に応じて自在に交換して使用することができる。また、このポータブルトイレは持ち運びができるので、病床またはその近くで容易に使用することができる。
【００１５】
また、特に、上部に斜め上方に延びる傾斜部位を有する第二小水パイプ部を使用すると、病床等において、横になった姿勢や座った姿勢で、当該第二小水パイプ部に小水を排出することができる。なお、この小水は自重によって小水タンクに送られ、そこに溜められる。
例えば、略垂直に延びる第一小水パイプ部を女性用に、傾斜した第二小水パイプ部を弾性用に使用するなど使い分けすることができる。
【００１６】
また、請求項２に記載の発明によれば、請求項１に記載の発明の作用効果に加えて、第一小水パイプ部の先端及び第二小水パイプ部の先端のうち両方又はいずれか一方に取付けられる開口部が拡開した小水受け部を備えるので、男性のみならず、女性でも容易に使用することができる。
【００１７】
また、請求項３に記載の発明によれば、小水タンクと小水パイプを備え、当該小水パイプに部分的に蛇腹部を形成し、当該小水パイプを蛇腹部で折曲げ自在としたので、病床等でもさらに容易に使用することができる。すなわち、小水パイプを蛇腹部で折り曲げることにより、当該小水パイプを、小水を排出するに最も適した状態にして使用することができる。
これによれば、角度を変えられる一本のパイプを使用するだけで女性でも男性でも使用することができて便利である。
【００１８】
また、請求項４に記載の発明によれば、請求項３に記載の発明の作用効果に加えて、小水パイプの先端に取付けられる開口部が拡開した小水受け部を備えるので、男性に加えて女性も容易に使用することができる。
【００１９】
さらに、請求項５に記載の発明によれば、請求項１乃至４に記載の発明のいずれか一つの作用効果に加えて、小水パイプの側部に、小水タンクに溜まった小水を排出する排出管を設けたので、当該ポータブルトイレを、例えば、通常の固定式トイレまで持ち運んで、溜まった小水を容易に廃棄することができる。そのときに、小水が逆流して小水パイプの入口から噴出することも防止される。
【００２０】
またさらに、請求項６に記載の発明によれば、請求項１乃至５に記載の発明のいずれか一つの作用効果に加えて、小水パイプの一部に透明部を形成し、溜まった小水を外から視認できるようにしたので、小水タンクに溜まった小水が小水パイプの先端から溢れ出るといった事態を未然に防止することができる。
【図面の簡単な説明】
【００２１】
【図１】本発明の第一実施形態に係るポータブルトイレで第一小水パイプ部が組付けられた状態を示す一部断面側面図である。
【図２】本発明の第一実施形態に係るポータブルトイレで第二小水パイプ部が組付けられた状態を示す一部断面側面図である。
【図３】本発明の第二実施形態に係るポータブルトイレの要部側面図である。
【図４】本発明の第二実施形態に係るポータブルトイレの他の態様を示す要部側面図である。
【図５】本発明の第二実施形態に係るポータブルトイレのさらに他の態様を示す要部側面図である。
【図６】本発明の第三実施形態に係るポータブルトイレの要部側面図である。
【図７】本発明の第三実施形態に係るポータブルトイレの他の態様を示す要部側面図である。
【図８】本発明の第三実施形態に係るポータブルトイレのさらに他の態様を示す要部側面図である。
【図９】本発明の第四実施形態に係るポータブルトイレの要部側面図である。
【図１０】本発明の第四実施形態に係るポータブルトイレの他の態様を示す要部側面図である。
【図１１】図２および図６乃至図１０に示すポータブルトイレの小水受け部を示す拡大平面図である。
【発明を実施するための形態】
【００２２】
図１及び図２を参照して、本発明の第一実施形態に係るポータブルトイレ１について説明する。このポータブルトイレ１は、小水タンク１０と第一，第二小水パイプ２１，２２からなる。
【００２３】
本発明の第一実施形態に係るポータブルトイレ１は、持ち運びができる小型のトイレであり、図１は小水タンク１０に小水パイプ２０として第二小水パイプ２２が接続されたもので、図２は小水タング１０に小水パイプ２０として第一小水パイプ２１が接続されたものである。図１に示したものは、男性の使用に適していて、図２に示したものは女性の使用に適している。
【００２４】
小水タンク１０は、小水を溜めるためのものであり、コロ５１と把手５２を備えた台車５０の上に載置され、支持手段５３によって転倒しない安定姿勢で保持される。小水タンク１０の大きさは限定されるものではないが、例えば、４リットル程度の容量とすると、約８回分の使用に対応することができる。
【００２５】
図１について説明すると、小水パイプ２０を構成する第二小水パイプ部２２は円筒状であり、その上部に斜め上方に延びる傾斜部位２２ａを有する。すなわち、この小水パイプ２０は、小水タンク１０の上部に気密かつ取り換え自在に組付く直立部位２２ｂと、その上端に連設されて斜め上方に延びる傾斜部位２２ａとで構成される。傾斜部位２２ａの先端部には開口部Ｋが形成され、その開口部Ｋを介して小水を傾斜部位２２ａの内部に排出する。直立部位２２ｂの下部にはフランジ部Ｆを周設し、フランジ部Ｆによって第二小水パイプ部２２の小水タンク１０に対する組付き限を設定している。なお、第二小水パイプ部２２は、上部に斜め上方に延びる傾斜部位２２ａを有し、小水を小水タンク１０まで円滑に流すような形状であればよいので、図１のものに形状が特に限定されるものではない。
【００２６】
また傾斜部位２２ａの先端部の外周面には螺条が形成され、その螺条に、傾斜部位２２ａにチェーンなどの連結部材３１で連結された蓋体３０が取り外し自在に螺合する。また、傾斜部位２２ａの先端部の内周側には防臭剤Ｄを交換自在に設けている。蓋体３０と防臭剤Ｄを設けたことにより、異臭の拡散を防止することができる。
【００２７】
なお、例えば、傾斜部位２２ａの先端部の近傍には蛇腹部Ｊを形成することができ、この蛇腹部Ｊの作用によって傾斜部位２２ａの先端部の近傍部分を自在に折り曲げることができる。同様に、直立部位２２ｂにも蛇腹部Ｊを形成することができる。蛇腹部Ｊを形成することにより、使用性が向上する。
【００２８】
また、本実施形態では直立部２２ｂの上端部に透明部Ｔを形成している。透明部Ｔを形成したことにより、小水タンク１０に小水が溜まっていることを外から容易に目視で確認することができ、確認後、溜まった小水を排出管４０から固定式トイレに廃棄することができる。
【００２９】
さらに、傾斜部位２２ａと直立部位２２ｂとの連設部分には、傾斜部位２２ａの向きと逆の方向に斜め上方に傾斜した排出管４０を設けている。排出管４０にはキャップ体４１を着脱自在に組付けることができ、これにより異臭の拡散を防止することができる。なお、小水タンク１０を含むポータブルトイレ１は、台車５０に載せたままで運ぶことができるし、台車５０から外して持ち運ぶこともできる。
また、小水タンク１０の上部周辺には内部に溜まった小水を、小水タンク１０を傾けて排出するための排水パイプ２５が設けられている。
【００３０】
次に図２について説明すると、小水パイプ２０を構成する第一小水パイプ部２１は、小水タンク１０から略垂直に延びている。
このポータブルトイレ１は、第一小水パイプ部２１の先端に、開口部Ｋが拡開した小水受け部２３を設けており、特に、女性の使用に適している。この小水受け部２３はその平面形状が略楕円形である（図１１参照）。
【００３１】
また、第一小水パイプ部２１の小水タンク１０に対する組付き限を設定するフランジ部Ｆを備える。また、小水タンク１０は、コロ５１、把手５２および支持手段５３を備える台車５０に上載される。なお、図１で示したものと同様に第一小水パイプ部２１の側面に排出管４０を設けるようしてもよい。
【００３２】
次に図３を参照して、本発明の第二実施形態に係るポータブルトイレ１について説明する。
このポータブルトイレ１は、図１に示したものと同様に男性の使用に適したものであり、その特徴は、小水パイプ２０を第二小水パイプ部２２で構成し、かつ、その全体を蛇腹部Ｊで形成したことである。すなわち、このポータブルトイレ１は、小水タンク１０の上端部に取り外し可能に気密に組付けた直立部位２２ｂと、その上端に連設した傾斜部位２２ａとで構成している。
【００３３】
傾斜部位２２ａの全体を蛇腹部Ｊで形成したことにより、傾斜部位２２ａをいずれの箇所においても自在かつ容易に折り曲げることができる。
従って、使用者の姿勢に柔軟に対応させることができ、さらに使用性が向上する。
【００３４】
なお、傾斜部位２２ａの開口部Ｋには蓋体３０を着脱自在に組み付けている。また、直立部位２２ｂの側部には、傾斜部位２２ａの向きと逆の方向に向かう排出管４０を設けている。この排出管４０には着脱自在のキャップ体４１を設けている。
【００３５】
なお、第二実施形態に係るポータブルトイレ１の他の態様として、図４と図５に示すものが考えられる。図４に示すものは、傾斜部位２２ａおよび直立部位２２ｂ共にその長さを小さく抑えており、さらなる小型化を図っている。また、図５に示すものは、傾斜部位２２ａのみの長さを抑えており、これによっても小型化を図ることができる。
【００３６】
次に図６を参照して、本発明の第三実施形態に係るポータブルトイレ１について説明する。
このポータブルトイレ１は、図２に示したものと同様に女性の使用に適したものであり、その特徴は、小水パイプ２０を構成する第二小水パイプ部２２の傾斜部位２２ａの先端に、開口部Ｋが拡開した小水受け部２３を設けたことである。この小水受け部２３はその平面形状が第一実施形態のものと同様に略楕円形である（図１１参照）。
【００３７】
また、このポータブルトイレ１は、傾斜部位２２ａの全体を蛇腹部Ｊで形成しており、直立部位２２ｂの側部にキャップ体４１を有する排出管４０を設けている。排出管４０は、傾斜部位２２ａの向きと反対側に向けて延設している。
【００３８】
なお、第三実施形態に係るポータブルトイレ１の他の態様として、図７と図８に示すものが考えられる。図７に示すものは、傾斜部位２２ａの長さを抑えたものであり、図８に示すものは、傾斜部位２２ａと直立部位２２ｂの両方の長さを抑えている。両者共に、ポータブルトイレ１のさらなる小型化に貢献する。
【００３９】
次に、図９を参照して、本発明の第四実施形態に係るポータブルトイレ１について説明する。
このポータブルトイレ１は、小水パイプ２０を第二小水パイプ部２２で構成し、その小水パイプ部２２を、略垂直に延びる直立部位２２ｂと、その上端に連設されて斜め上方に延びる傾斜部位２２ａとで構成している。なお、このポータブルトイレ１は、小水パイプ２０（第二小水パイプ部２２）に蛇腹部Ｊを形成していないことを一つの特徴とする。蛇腹部Ｊを設けていないので、自在に折り曲げることはできないが、その姿勢を常に安定に維持することができるといった利点がある。
【００４０】
第四実施形態に係るポータブルトイレ１の他の態様として、図１０に示すものが考えられる。これは傾斜部位２２ａと直立部位２２ｂの双方の長さを抑えたものであり、これによりさらなる小型化を図ることができる。
【００４１】
上記実施形態に係るポータブルトイレ１の作用効果は以下の通りである。
（１）このポータブルトイレ１は持ち運びができるので、病床またはその近くで容易に使用することができる。
（２）小水パイプ２０を、略垂直に延びる第一小水パイプ部２１と、上部に斜め上方に延びる傾斜部位２２ａを有する第二小水パイプ部２２の異なる２つのタイプで構成したので、女性用に適した第一小水パイプ部２１と男性用に適した第二小水パイプ部２２を必要に応じて自在に交換して使用することができる。従って、使用性に優れる。
（３）特に、上部に斜め上方に延びる傾斜部位を有する第二小水パイプ部２２を使用すると、病床等において、横になった姿勢や座った姿勢でもその第二小水パイプ部２２に小水を排出するができる。従って、病床でも容易に使用することができる。
【００４２】
（４）第一小水パイプ部２１の先端及び第二小水パイプ部２２の先端のうち両方又はいずれか一方に取付けられる開口部Ｋが拡開した小水受け部２３を備えたものは、男性のみならず、女性でも容易に使用することができる。
【００４３】
（５）小水パイプ２０に部分的に蛇腹部Ｊを形成したものは、その蛇腹部Ｊで折り曲げることにより、小水パイプ２０を、小水を排出するに最も適した状態にして使用することができる。従って、使用性がさらに高まる。
【００４４】
（６）小水パイプ２０の側部に、小水タンク１０に溜まった小水を排出する排出管４０を設けたものは、ポータブルトイレ１を、例えば、通常の固定式トイレまで持ち運んで、溜まった小水を容易に廃棄することができる。
【００４５】
（７）小水パイプ２０の一部に透明部Ｔを形成し、溜まった小水を外から視認できるようにしたものは、小水タンク１０に溜まった小水が小水パイプ２０の先端から溢れ出るといった事態を未然に防止することができる。
（８）小水パイプ２０の開口部Ｋに蓋体３０を設けたもの、および排出管４０にキャップ体４１を設けたものは小水の溢れ出しや異臭の拡散を防止するので衛生的である。
（９）小水パイプ２０に防臭剤Ｄを設けたものは異臭を吸収し、その拡散を防止するので衛生的である。
（１０）台車５０を使用するものは、固定式トイレまでの搬送が容易となり、使用性が向上する。
【符号の説明】
【００４６】
１    ポータブルトイレ
１０    小水タンク
２０    小水パイプ２０
２１    第一小水パイプ部
２１ａ  フランジ部
２２    第二小水パイプ部
２２ａ  傾斜部位
２２ｂ  直立部位
２３    小水受け部
２５    排水パイプ
３０    蓋体
３１    連結部材
４０    排出管
４１    キャップ体
５０    台車
５１    コロ
５２    把手
５３    支持手段
Ｄ    防臭剤
Ｆ    フランジ部
Ｊ    蛇腹部
Ｋ    開口部
Ｔ    透明部
【図１】
2018064809.tif 000003
【図２】
2018064809.tif 000004
【図３】
2018064809.tif 000005
【図４】
2018064809.tif 000006
【図５】
2018064809.tif 000007
【図６】
2018064809.tif 000008
【図７】
2018064809.tif 000009
【図８】
2018064809.tif 000010
【図９】
2018064809.tif 000011
【図１０】
2018064809.tif 000012
【図１１】
2018064809.tif 000013